(57)【要約】【課題】コマーシャルの動画像の編集を容易に行うことができ、また、コマーシャルの広告効果を高めることができる動画像配信装置を提供する。【解決手段】複数の動画像データのうちの一つの動画像データと、広告用エフェクト画像とを示す編集指示情報を受け付け、少なくとも、編集指示情報で示される動画像データと広告用エフェクト画像の各ＩＤと、当該広告用エフェクト画像に対応付けて記録されている広告先ＵＲＬと、ユーザ端末において広告用エフェクト画像が選択された際にユーザ端末へ広告先ＵＲＬで示されるウェブページへのアクセスを指示するためのアクセス命令情報と、を格納した編集情報を生成する。そして、ユーザ端末５より編集情報の選択を受け付けて、編集情報と、当該編集情報に記録されている動画像データと広告用エフェクト画像とをユーザ端末へ配信する。【選択図】図１
2010050711.tif 000002
【特許請求の範囲】
【請求項１】
複数の動画像データを記憶する動画像データ記憶手段と、
広告配信ウェブページへアクセスさせる広告配信ウェブページ識別情報と広告用エフェクト画像とを対応付けて記憶する広告情報記憶手段と、
前記複数の動画像データのうちの一つの動画像データと、前記広告用エフェクト画像とを示す編集指示情報を受け付ける編集指示受付手段と、
少なくとも、前記編集指示情報で示される動画像データと広告用エフェクト画像の各識別情報と、当該広告用エフェクト画像に対応付けて前記広告情報記憶手段に記録されている広告配信ウェブページ識別情報と、通信ネットワークを介して接続された外部装置において前記広告用エフェクト画像が選択された際に当該外部装置へ前記広告配信ウェブページ識別情報で示されるウェブページへのアクセスを指示するためのアクセス命令情報と、を格納した編集情報を生成し、編集情報記憶手段に登録する編集手段と、
前記外部装置より前記編集情報の選択を受け付けて、前記編集情報と、当該編集情報に記録されている前記動画像データと前記広告用エフェクト画像とを前記外部装置へ配信する配信手段と、
を備えることを特徴とする動画像配信装置。
【請求項２】
前記編集指示情報には、所定範囲の画像を覆い隠すスクラッチ用画像であって前記外部装置によるマウスポインタの操作に基づいて前記マウスポインタの指定箇所を透明に変化させることにより前記覆い隠している画像を表示させるスクラッチ用画像を、前記広告エフェクト画像上に合成させるスクラッチ効果処理の適用指示が格納されており、
前記編集手段は、前記編集指示情報に前記スクラッチ効果処理の適用指示が格納されている場合には、前記スクラッチ効果処理を行うためのスクラッチ効果適用命令情報を格納した前記編集情報を生成し、
前記配信手段は、前記選択を受け付けた前記編集情報に、前記スクラッチ効果適用命令情報が格納されている場合には、前記スクラッチ用画像をさらに前記外部装置へ配信する
ことを特徴とする請求項１に記載の動画像配信装置。
【請求項３】
前記編集指示情報には、前記外部装置によるマウスポインタの操作に基づいて前記マウスポインタの指定箇所へ前記広告用エフェクト画像を近づけて前記動画像データの画像上に合成表示させる画像移動効果処理の適用指示が格納されており、
前記編集手段は、前記選択を受け付けた前記編集情報に、前記画像移動効果処理の適用指示が格納されている場合には、前記画像移動効果処理を行うための画像移動効果適用命令情報を格納した前記編集情報を生成する
ことを特徴とする請求項１に記載の動画像配信装置。
【請求項４】
動画像配信装置における動画像配信方法であって、
前記動画像配信装置の動画像データ記憶手段が、複数の動画像データを記憶し、
前記動画像配信装置の広告情報記憶手段が、広告配信ウェブページへアクセスさせる広告配信ウェブページ識別情報と広告用エフェクト画像とを対応付けて記憶し、
前記動画像配信装置の編集指示受付手段が、前記複数の動画像データのうちの一つの動画像データと、前記広告用エフェクト画像とを示す編集指示情報を受け付け、
前記動画像配信装置の編集手段が、少なくとも、前記編集指示情報で示される動画像データと広告用エフェクト画像の各識別情報と、当該広告用エフェクト画像に対応付けて前記広告情報記憶手段に記録されている広告配信ウェブページ識別情報と、通信ネットワークを介して接続された外部装置において前記広告用エフェクト画像が選択された際に当該外部装置へ前記広告配信ウェブページ識別情報で示されるウェブページへのアクセスを指示するためのアクセス命令情報と、を格納した編集情報を生成し、編集情報記憶手段に登録し、
前記動画像配信装置の配信手段が、前記外部装置より前記編集情報の選択を受け付けて、前記編集情報と、当該編集情報に記録されている前記動画像データと前記広告用エフェクト画像とを前記外部装置へ配信する
ことを特徴とする動画像配信方法。
【請求項５】
複数の動画像データを記憶する動画像データ記憶手段と、
広告配信ウェブページへアクセスさせる広告配信ウェブページ識別情報と広告用エフェクト画像とを対応付けて記憶する広告情報記憶手段と、を備えた動画像配信装置のコンピュータを、
前記複数の動画像データのうちの一つの動画像データと、前記広告用エフェクト画像とを示す編集指示情報を受け付ける編集指示受付手段、
少なくとも、前記編集指示情報で示される動画像データと広告用エフェクト画像の各識別情報と、当該広告用エフェクト画像に対応付けて前記広告情報記憶手段に記録されている広告配信ウェブページ識別情報と、通信ネットワークを介して接続された外部装置において前記広告用エフェクト画像が選択された際に当該外部装置へ前記広告配信ウェブページ識別情報で示されるウェブページへのアクセスを指示するためのアクセス命令情報と、を格納した編集情報を生成し、編集情報記憶手段に登録する編集手段、
前記外部装置より前記編集情報の選択を受け付けて、前記編集情報と、当該編集情報に記録されている前記動画像データと前記広告用エフェクト画像とを前記外部装置へ配信する配信手段、
として機能させるためのプログラム。
【発明の詳細な説明】
【技術分野】
【０００１】
本発明は、動画像データと、当該動画像データに合成して表示することで動画に対して広告効果を与える広告用エフェクトデータをユーザ端末に配信する動画像配信装置、動画像配信方法ならびにそのプログラムに関する。
【背景技術】
【０００２】
近年、インターネットを介して動画像を配信するサービスが多く提供されている。このような動画像の配信サービスにおいては、あるユーザが登録した動画像を、他のユーザの操作する端末へ配信するサービスが存在し、インターネットを利用するユーザは他人の作成した動画像を自身の操作する端末で観ることにより、楽しむことができる。
【０００３】
ここで、他人の作成した動画像を、自由に編集して自らが配信する動画像として新たに登録させるサービスの提供が現在提供されている。このようなサービスにおいては、例えば、他人の作成した動画像を用いて、何らかの宣伝行うコマーシャルとして編集および再登録し、当該編集および再登録後の動画像データを、インターネット上に接続された他の多くの端末に配信するといった利用形態が生まれる可能性がある。またそのコマーシャルの動画像を自由に編集することができれば、自分の店の店名やサービス概要などを動画データに合成して、配信することができ、動画像の作成を行うことのできないユーザが、他人が作成した動画像を有効利用することができる。なお、動画像の配信および動画像の編集に関連する技術として、特許文献１の技術が開示されている。
【特許文献１】特開２００３−１３４４４６号公報
【発明の開示】
【発明が解決しようとする課題】
【０００４】
ところで、上述のような、他人の作成した動画像を、自由に編集して自らが配信する動画像として新たに登録することのできるサービスにおいて、コマーシャルの動画像を新たに編集し登録する際に、コマーシャルの編集作業を容易に行うことが可能となれば、上記サービスの利用価値を向上させることができる。またそのように作成されたコマーシャルの広告効果をどのように高めるかが課題となっている。
【０００５】
そこでこの発明は、他人の作成した動画像を、自由に編集して自らが配信する動画像として新たに登録することのできるサービスにおいて、コマーシャルの動画像の編集を容易に行うことができ、また、コマーシャルの広告効果を高めることができる動画像配信装置、動画像配信方法ならびにそのプログラムを提供することを目的としている。
【課題を解決するための手段】
【０００６】
上記目的を達成するために、本発明は、複数の動画像データを記憶する動画像データ記憶手段と、広告配信ウェブページへアクセスさせる広告配信ウェブページ識別情報と広告用エフェクト画像とを対応付けて記憶する広告情報記憶手段と、前記複数の動画像データのうちの一つの動画像データと、前記広告用エフェクト画像とを示す編集指示情報を受け付ける編集指示受付手段と、少なくとも、前記編集指示情報で示される動画像データと広告用エフェクト画像の各識別情報と、当該広告用エフェクト画像に対応付けて前記広告情報記憶手段に記録されている広告配信ウェブページ識別情報と、通信ネットワークを介して接続された外部装置において前記広告用エフェクト画像が選択された際に当該外部装置へ前記広告配信ウェブページ識別情報で示されるウェブページへのアクセスを指示するためのアクセス命令情報と、を格納した編集情報を生成し、編集情報記憶手段に登録する編集手段と、前記外部装置より前記編集情報の選択を受け付けて、前記編集情報と、当該編集情報に記録されている前記動画像データと前記広告用エフェクト画像とを前記外部装置へ配信する配信手段と、を備えることを特徴とする動画像配信装置である。
【０００７】
また本発明は、上述の動画像配信装置において、前記編集指示情報には、所定範囲の画像を覆い隠すスクラッチ用画像であって前記外部装置によるマウスポインタの操作に基づいて前記マウスポインタの指定箇所を透明に変化させることにより前記覆い隠している画像を表示させるスクラッチ用画像を、前記広告エフェクト画像上に合成させるスクラッチ効果処理の適用指示が格納されており、前記編集手段は、前記編集指示情報に前記スクラッチ効果処理の適用指示が格納されている場合には、前記スクラッチ効果処理を行うためのスクラッチ効果適用命令情報を格納した前記編集情報を生成し、前記配信手段は、前記選択を受け付けた前記編集情報に、前記スクラッチ効果適用命令情報が格納されている場合には、前記スクラッチ用画像をさらに前記外部装置へ配信することを特徴とする。
【０００８】
また本発明は、上述の動画像配信装置において、前記編集指示情報には、前記外部装置によるマウスポインタの操作に基づいて前記マウスポインタの指定箇所へ前記広告用エフェクト画像を近づけて前記動画像データの画像上に合成表示させる画像移動効果処理の適用指示が格納されており、前記編集手段は、前記選択を受け付けた前記編集情報に、前記画像移動効果処理の適用指示が格納されている場合には、前記画像移動効果処理を行うための画像移動効果適用命令情報を格納した前記編集情報を生成することを特徴とする。
【０００９】
また本発明は、動画像配信装置における動画像配信方法であって、前記動画像配信装置の動画像データ記憶手段が、複数の動画像データを記憶し、前記動画像配信装置の広告情報記憶手段が、広告配信ウェブページへアクセスさせる広告配信ウェブページ識別情報と広告用エフェクト画像とを対応付けて記憶し、前記動画像配信装置の編集指示受付手段が、前記複数の動画像データのうちの一つの動画像データと、前記広告用エフェクト画像とを示す編集指示情報を受け付け、前記動画像配信装置の編集手段が、少なくとも、前記編集指示情報で示される動画像データと広告用エフェクト画像の各識別情報と、当該広告用エフェクト画像に対応付けて前記広告情報記憶手段に記録されている広告配信ウェブページ識別情報と、通信ネットワークを介して接続された外部装置において前記広告用エフェクト画像が選択された際に当該外部装置へ前記広告配信ウェブページ識別情報で示されるウェブページへのアクセスを指示するためのアクセス命令情報と、を格納した編集情報を生成し、編集情報記憶手段に登録し、前記動画像配信装置の配信手段が、前記外部装置より前記編集情報の選択を受け付けて、前記編集情報と、当該編集情報に記録されている前記動画像データと前記広告用エフェクト画像とを前記外部装置へ配信することを特徴とする動画像配信方法である。
【００１０】
また本発明は、複数の動画像データを記憶する動画像データ記憶手段と、広告配信ウェブページへアクセスさせる広告配信ウェブページ識別情報と広告用エフェクト画像とを対応付けて記憶する広告情報記憶手段と、を備えた動画像配信装置のコンピュータを、前記複数の動画像データのうちの一つの動画像データと、前記広告用エフェクト画像とを示す編集指示情報を受け付ける編集指示受付手段、少なくとも、前記編集指示情報で示される動画像データと広告用エフェクト画像の各識別情報と、当該広告用エフェクト画像に対応付けて前記広告情報記憶手段に記録されている広告配信ウェブページ識別情報と、通信ネットワークを介して接続された外部装置において前記広告用エフェクト画像が選択された際に当該外部装置へ前記広告配信ウェブページ識別情報で示されるウェブページへのアクセスを指示するためのアクセス命令情報と、を格納した編集情報を生成し、編集情報記憶手段に登録する編集手段、前記外部装置より前記編集情報の選択を受け付けて、前記編集情報と、当該編集情報に記録されている前記動画像データと前記広告用エフェクト画像とを前記外部装置へ配信する配信手段、として機能させるためのプログラムである。
【発明の効果】
【００１１】
本発明によれば、ユーザが動画像上に表示されている広告用エフェクトデータの画像をクリックすると、その広告用エフェクトデータ、例えば、飲料物の缶をイメージした画像をクリックすることで、その飲料物を広告するウェブページをユーザ端末５に表示させることができる。このように、ユーザは、予めサーバに登録されている動画像データと広告用エフェクトデータを選択すれば、その動画像データによる動画像上に広告用エフェクトデータの画像を合成させるための編集情報を作成し、他のユーザが利用するユーザ端末５に対してその編集情報に基づく動画像の再生を行わせることができるため、容易にコマーシャルの動画像を作成することができる。また、多くの広告対象の広告用エフェクトデータをサーバに登録しておくことで、その広告用エフェクトデータを自由に利用して編集情報が作成されるため、ユーザによって自由に広告を行う動画像が作成されるため、広告対象の広告の頻度を上げることができ、広告対象の広告用エフェクトデータが動画像上での頻繁に表示されることによる広告効果を期待することができる。また、本発明によれば、広告用エフェクトデータの画像に対して視覚効果を与えることで、広告効果を高めることができる。
【発明を実施するための最良の形態】
【００１２】
以下、本発明の一実施形態による動画像配信装置を用いた動画像配信システムを、図面を参照して説明する。
図１は同実施形態による動画像配信システムの構成を示すブロック図である。
この図において、符号１は動画像データや、当該動画像データに合成して表示することで動画に対して視覚効果を与えるエフェクトデータ等を記憶するストレージサーバである。本実施形態において、ストレージサーバ１は、複数の動画像データを記憶し、また、広告配信ウェブページへアクセスさせる広告先ＵＲＬ（広告配信ウェブページ識別情報）と広告用エフェクトデータとを対応付けて記憶している。また本実施形態においては、ストレージサーバに記録されているエフェクトデータのうち、広告の効果を動画像に与える広告用エフェクトデータが利用される。この広告用エフェクトデータは、例えば広告を行う店舗の名称が記載された画像や、広告する商品の画像などである。
【００１３】
また２は配信する動画像データや広告用エフェクトデータを一時記憶するキャッシュサーバである。また３は動画像データの編集に関わる処理と、動画像データや広告用エフェクトデータ、また広告用エフェクトデータを動画像データに合成する際に利用される編集情報を配信する処理などを行うアプリケーションサーバである。また４は動画像データの識別情報や、その動画像データに合成する広告用エフェクトデータの識別情報や、広告用エフェクトデータの属性（色、大きさ、動きパターン、動画像データへの合成位置）などを格納した編集情報を記憶するデータベースサーバである。また５は動画像データの再生または動画像データの編集指示をユーザより受け付け、動画像データに広告用エフェクトデータを合成した画像を表示するユーザ端末である。なお、本実施形態においては、各サーバが別々の装置として通信ネットワークに接続されている場合の例を用いて説明するが、それらサーバのうち、いずれか複数のサーバが同一の装置（サーバ）に備えられるような構成であってもよい。
【００１４】
そして、動画像配信システムは、動画像データと、当該動画像データに合成して表示することで動画に対して広告効果を与える広告用エフェクトデータをユーザ端末５に配信する処理を行うものであって、まず、アプリケーションサーバ３が、動画像データと、広告用エフェクトデータの一覧画面をユーザ端末５に送信し、当該ユーザ端末５より少なくとも動画像データと広告用エフェクトデータを示す編集指示情報を受け付ける。すると、アプリケーションサーバ３は、少なくとも、編集指示情報で示される動画像データと広告用エフェクトデータの各ＩＤ（識別情報）と、当該広告用エフェクトデータに対応付けてストレージサーバ（広告情報記憶手段）１に記録されている広告先ＵＲＬ（広告配信ウェブページ識別情報）と、通信ネットワークを介して接続されたユーザ端末５（外部装置）において広告用エフェクトデータが選択された際に当該ユーザ端末５へ広告先ＵＲＬで示されるウェブページへのアクセスを指示するためのアクセス命令情報と、を格納した編集情報を生成し、データベースサーバ（編集情報記憶手段）に登録する処理を行う。またアプリケーションサーバ３は、ユーザ端末５より編集情報の選択を受け付けて、その編集情報と、当該編集情報に記録されているＩＤで示される動画像データと広告用エフェクトデータとをユーザ端末５へ配信する処理を行う。これにより、ユーザ端末５において動画像データに基づく動画像の再生と、編集情報の内容に基づく当該動画像への広告用エフェクトエータの合成処理が行われる。
【００１５】
図２はアプリケーションサーバの機能ブロック図である。
この図が示すように、アプリケーションサーバ３は、ユーザ端末５や他のサーバと情報を送受信する通信処理部３１、アプリケーションサーバ３の各処理部を制御する制御部３２、ユーザ端末５からの指示に基づいて動画像データの編集処理を行い、編集情報を生成する動画像編集処理部３３、ユーザ端末５からの指示に基づいて動画像の配信処理の管理を行う動画像配信管理部３４、各種情報を記憶する記憶部３５を備えている。なお、本実施形態において動画像の編集とは、既に登録（アップロード）された動画像データに合成する広告用エフェクトデータの指定を受付けて、その動画像データと広告用エフェクトデータ等を対応付けてデータベースサーバ４に登録する処理や編集情報の生成処理等をいう。
【００１６】
図３は動画像編集用画面の第１の例を示す図である。
図４は動画像編集用画面の第２の例を示す図である。
図５は動画像編集処理の処理フローを示す図である。
次に、図３〜図５を用いて動画像配信システムにおける動画像編集処理の処理フローについて説明する。
まず、ユーザの指示によりユーザ端末５はアプリケーションサーバ３にアクセスする。
するとアプリケーションサーバ３の動画像編集処理部３３は、ユーザ端末５に図３で示す動画像データの動画編集用画面（Ａ）のウェブページを送信する。動画編集用画面（Ａ）においては、既に自身や他のユーザによって登録された動画像データのサムネイルや、複数のエフェクトデータの一覧が表示される。この複数のエフェクトデータのうちの一部は広告用エフェクトデータのサムネイルが表示される。
【００１７】
そしてユーザは、ユーザ端末５の表示部に表示された動画編集用画面（Ａ）を用いて、動画像データの指定と、エフェクトデータの指定を行う。本実施形態においては、ユーザがエフェクトデータのうち、広告効果を動画像に表示するための広告用エフェクトデータを選択したものとする。この時、ユーザの動画像データの指定によりそのユーザ端末５は動画像データをストレージサーバ１からダウンロードして動画像データを再生する。また、動画像データが再生している間に、ユーザがその再生表示範囲に、広告用エフェクトデータを指定およびドラッグアンドドロップし、ユーザが希望する任意の位置に広告エフェクトデータを合成する（エフェクト配置）指示を行う。
【００１８】
このようなユーザのエフェクト配置の操作がユーザ端末５に入力された場合（ステップＳ１０１）、ユーザ端末５は、選択された広告用エフェクトデータのＩＤを格納したファイルリクエストをキャシュサーバ２へ送信する（ステップＳ１０２）。キャシュサーバ２はファイルリクエストを受信すると、そのファイルリクエストに格納された広告用エフェクトデータのＩＤをストレージサーバ１へ送信する（ステップＳ１０３）。ストレージサーバ１は受信した広告用エフェクトデータのＩＤに対応する広告用エフェクトデータをキャシュサーバ２へ送信し（ステップＳ１０４）、キャッシュサーバ２はファイルリクエストの送信元のであるユーザ端末５へ広告用エフェクトデータを格納したファイルレスポンスを送信する（ステップＳ１０５）。そして、ファイルレスポンスを受信したユーザ端末５は、例えば、図４で示すような動画編集用画面（Ｂ）において、ファイルレスポンスに格納されている広告用エフェクトデータを、動画像データの再生表示範囲におけるユーザの指定した位置に合成して表示する（ステップＳ１０６）。この動画編集用画面（Ｂ）においては、エフェクト表示タイミング指定欄において、エフェクトデータを合成するタイミングとなる動画像データの再生開始時刻からの経過時間を設定することができる。また、ユーザは、動画像編集用画面（Ｂ）において、エフェクトサイズ指定欄における広告用エフェクトデータのサイズの指定や、動きパターン一覧における広告用エフェクトデータの動きパターンのうちユーザが所望する指定などを行ってもよい。
【００１９】
そして、ユーザ端末５は、ユーザからの編集完了指示を受け付けると、当該ユーザより指定された動画像データおよび広告用エフェクトデータの各ＩＤと、動画像編集用画面（Ａ）の各入力欄に入力された情報、例えば、広告用エフェクトデータを表示する大きさ、広告用エフェクトデータを動画像データの再生表示範囲において配置した位置、広告用エフェクトデータを合成するタイミングとなる動画像データの再生開始時刻からの経過時間、などの情報を格納した編集指示情報を生成する（ステップＳ１０７）。そして、ユーザ端末５はその生成した編集指示情報をアプリケーションサーバ１へ送信する（ステップＳ１０８）。アプリケーションサーバ１の動画像編集処理部３３は、編集指示情報を受信すると、編集情報の生成を開始する（ステップＳ１０９）。
【００２０】
編集情報の生成を開始すると、まず、アプリケーションサーバ３の動画像編集処理部３３は、受信した編集指示から動画像データに合成する広告用エフェクトデータのＩＤを読み取る。そして動画像編集処理部３３は、当該広告用エフェクトデータのＩＤに対応付けられてストレージサーバ１に格納されている広告先ＵＲＬを読み取り、少なくとも、受信した編集指示情報に格納されている動画像データのＩＤと、広告用エフェクトデータのＩＤと、その広告用エフェクトデータのＩＤから特定した広告先ＵＲＬと、ユーザ端末５において広告用エフェクトデータがマウス等で選択された際に当該ユーザ端末５に対して広告先ＵＲＬで示されるウェブページへのアクセスを指示するためのウェブページアクセス命令と、を格納した編集情報を生成する（ステップＳ１１０）。そして、動画像編集処理部３３は生成した編集情報をデータベースサーバ４へ登録する（ステップＳ１１１）。またアプリケーションサーバ３の動画像編集処理部３３は、登録完了をユーザ端末５へ送信する（ステップＳ１１２）。
【００２１】
なお編集情報は、後の動画像配信処理においてユーザ端末５へ配信される情報である。この編集情報を受信したユーザ端末５は、その編集情報に格納されている動画像データのＩＤと広告用エフェクトデータＩＤに基づいて、動画像データと広告用エフェクトデータの配信を受け、動画像データによって再生される動画像上に広告用エフェクトデータを表示する処理を行う。またユーザ端末５は編集情報に格納されている情報に基づいて、広告用エフェクトデータを動画像上に合成する位置やタイミング、大きさなどを制御する。ここでこれらの動画像データに基づく動画像の再生処理や、広告用エフェクトデータの合成処理、広告用エフェクトデータを動画像上に合成する位置やタイミング、大きさなどの制御処理は、あらかじめユーザ端末５に格納されている再生プログラムによって行われる。以下、にユーザ端末５における動画像の再生時の処理について説明する。
【００２２】
図６は動画像再生処理の処理フローを示す図である。
次に編集処理後の動画像データの再生処理について図６を用いて説明する。
まずユーザは、ユーザ端末５を用いてアプリケーションサーバ３にアクセスし、再生用のウェブページの画面に移行する指示を行う。するとユーザ端末５には、アプリケーションサーバから受信した再生用画面が表示される。この再生用画面には編集情報を特定するためのサムネイルが複数表示されており、ユーザがいずれかのサムネイルを選択する。ユーザ端末５は再生用画面に表示しているあるサムネイル画像の指定を受け付けると、当該サムネイル画像で特定できる編集情報ＩＤを格納した再生要求をキャッシュサーバ２へ送信し（ステップＳ２０１）、キャッシュサーバ２が再生要求に格納された編集情報ＩＤに基づいて、データベースサーバ４から編集情報を取得する（ステップＳ２０２）。
【００２３】
次にキャッシュサーバ２は、読み取った編集情報に格納されている動画像データのＩＤと広告用エフェクトデータのＩＤとを読み取り（ステップＳ２０３）、それらＩＤを格納した再生情報送信要求をストレージサーバ１に送信する（ステップＳ２０４）。ストレージサーバ１は再生情報送信要求を受信すると、その要求に格納された動画像データのＩＤと広告用エフェクトデータのＩＤとから、それらＩＤに対応付けられて記録された動画像データと広告用エフェクトデータをキャッシュサーバ２に返信する（ステップＳ２０５）。するとキャッシュサーバ２は、編集情報ＩＤに基づいて読み取った編集情報と、ストレージサーバ１から返信を受けた動画像データおよび広告用エフェクトデータを格納した再生情報をユーザ端末５へ送信する（ステップＳ２０６）。
【００２４】
ユーザ端末５は再生情報を受信すると、再生プログラムを起動し、再生情報に格納された編集情報に基づいて、動画像データを再生し（ステップＳ２０７）、その動画像上に広告用エフェクトデータの画像を合成して表示する（ステップＳ２０８）。つまり、編集情報に格納された広告用エフェクトデータを動画像上に合成する位置やタイミング、大きさなどに基づいて、合成処理を行う。これにより、ユーザ端末５において、広告用エフェクトデータを合成した動画像を再生することができる。なお、編集情報において、広告用エフェクトデータの大きさや、表示位置、エフェクト表示タイミングなどの情報が格納されている場合には、その情報に基づいて、指定された大きさ、表示位置、エフェクト表示タイミングにより広告用エフェクトデータが合成されることとなる。
【００２５】
このような状況において、ユーザが広告用エフェクトデータをユーザ端末５のマウスなどを用いて選択したとする。選択とは広告用エフェクトデータの画像上にマウスポインタを合わせてクリック操作を行うことをいう。すると、ユーザ端末５は広告用エフェクトデータの画像上でクリックが押下されたことを検出し（ステップＳ２０９）、編集情報に格納されている広告先ＵＲＬへのアクセスを開始する（ステップＳ２１０）。これにより、広告先ＵＲＬのウェブページをユーザ端末５で受信し、ユーザ端末５の画面上に広告先ＵＲＬのウェブページが表示される。つまり、ユーザが動画像上に表示されている広告用エフェクトデータの画像をクリックすると、その広告用エフェクトデータ、例えば、飲料物の缶をイメージした画像をクリックすることで、その飲料物を広告するウェブページをユーザ端末５に表示させることができる。このように、ユーザは、予めサーバに登録されている動画像データと広告用エフェクトデータを選択すれば、その動画像データによる動画像上に広告用エフェクトデータの画像を合成させるための編集情報を作成し、他のユーザが利用するユーザ端末５に対してその編集情報に基づく動画像の再生を行わせることができるため、容易にコマーシャルの動画像を作成することができる。また、多くの広告対象の広告用エフェクトデータをサーバに登録しておくことで、その広告用エフェクトデータを自由に利用して編集情報が作成されるため、ユーザによって自由に広告を行う動画像が作成されるため、広告対象の広告の頻度を上げることができ、広告対象の広告用エフェクトデータが動画像上での頻繁に表示されることによる広告効果を期待することができる。
【００２６】
次に、広告用エフェクトデータの動画像上での表示パターンについて説明する。
上述の動画像データの再生においては、編集情報に格納されている大きさや表示位置の情報に基づいて広告用エフェクトデータを合成表示する例について説明したが、より広告の効果を高めるために、広告用エフェクトデータに対して特殊な視覚効果を与えるようにしても良い。例えば、スクラッチくじのように、広告用エフェクトデータの画像を特定の色（例えば銀色）で覆い隠すスクラッチ用画像を広告用エフェクトデータの画像に重ねて表示し、ユーザ端末５のマウスポインタの操作に基づいてスクラッチ用画像上におけるマウスポインタの指定箇所を透明に変化させることにより、覆い隠している広告用エフェクトデータの画像の全体を次第に表示させる視覚効果を与えるようにしても良い。
【００２７】
この場合、まず、ユーザは、編集処理時において動画像データの動画像上に合成する広告用エフェクトデータを選択する際に、動画編集用画面（Ｂ）を用いてスクラッチ効果処理の適用指示を行う。例えば動画編集用画面（Ｂ）の動きパターン指定欄において、『スクラッチ効果』を選択する。するとユーザ端末５は、編集指示情報の生成において、当該編集指示情報にスクラッチ効果処理の適用指示を示す情報を格納してアプリケーションサーバ３へ送信する。その編集指示情報を受信したアプリケーションサーバ３の動画像編集処理部３３は、編集情報の生成において、編集指示情報にスクラッチ効果処理の適用指示が格納されている場合には、そのスクラッチ効果処理を行うためのスクラッチ効果適用命令を示す情報を格納する。これにより、動画像データの再生を行うユーザ端末５において動画像データと共に受信した編集情報にスクラッチ効果適用命令を示す情報が格納されている場合、ユーザ端末５は、編集指示情報、動画像データ、広告用エフェクトデータと共にスクラッチ用画像をキャッシュサーバ２から受信して、そのスクラッチ用画像を広告用エフェクトデータの画像に重ねて表示する。
【００２８】
ここで、スクラッチ効果適用時のユーザ端末５の動作について説明する。
広告用エフェクトデータの画像にスクラッチ画像が重ねて表示された当初は、スクラッチ画像によって広告用エフェクトデータの画像が覆われているため、ユーザが見ることはできない。そして、ユーザがマウス操作によりスクラッチ画像上にマウスポインタを合わせると、ユーザ端末５の再生プログラムによる処理に基づいて、マウスポインタがスクラッチ画像上に一致したことを検出し、マウスポインタの位置を中心とする所定の大きさの円の範囲のスクラッチ画像の色を透明に変化させて表示する。これにより、広告用エフェクトデータの画像の一部が表示される。そしてマウスポインタが移動されることにより、そのマウスポインタの位置を中心とする円が移動し、その円の位置のスクラッチ画像の色が透明に変化し、次第にスクラッチ画像の色がすべて透明へと変わる。これにより、広告用エフェクトデータの画像の全体が表示される。広告用エフェクトデータに対してこのような視覚効果を与えることにより、動画像を閲覧するユーザの興味を引くことで、広告対象の広告効果を高めることができる。
【００２９】
また、広告用エフェクトデータの動画像上での他の表示パターンとして、マウスポインタの動きに合わせて、広告用エフェクトデータの画像を移動させて合成表示させる画像移動効果の表示パターンを用いて、視覚効果を与えるようにしても良い。この場合、ユーザは、編集処理時において動画像データの動画像上に合成する広告用エフェクトデータを選択する際に、動画編集用画面（Ｂ）を用いて画像移動効果処理の適用指示を行う。例えば動画編集用画面（Ｂ）の動きパターン指定欄において、『画像移動効果』を選択する。するとユーザ端末５は、編集指示情報の生成において、当該編集指示情報に画像移動効果処理の適用指示を示す情報を格納してアプリケーションサーバ３へ送信する。その編集指示情報を受信したアプリケーションサーバ３の動画像編集処理部３３は、編集情報の生成において、編集指示情報に画像移動効果の適用指示が格納されている場合には、その画像移動効果処理を行うための画像移動効果適用命令を示す情報を格納する。これにより、動画像データの再生を行うユーザ端末５において動画像データと共に受信した編集情報に画像移動効果適用命令を示す情報が格納されている場合、ユーザ端末５は、マウスポインタの動きに合わせて、広告用エフェクトデータの画像を移動させて合成表示させる処理を行う。
【００３０】
つまり、ユーザ端末５の処理としては、動画像データの動画像へ広告用エフェクトデータの画像を合成表示した後に、マウスポインタの位置を検出する。そして広告用エフェクトデータの画像のある位置（例えば中心）とマウスポインタの位置との距離を算出し、その距離が所定の閾値以上である場合、広告用エフェクトデータの画像をマウスポインタの位置に移動させる処理を行い、マウスポインタと広告用エフェクトデータの画像の位置の距離の算出を所定の時間間隔で繰り返すことにより、広告用エフェクトデータの画像を移動させる動画像データの動画像上で移動させる処理を繰り返す。これにより、広告用エフェクトデータの画像をユーザに注目させることができ、広告用エフェクトデータの画像をクリックすることによる、広告先ＵＲＬへアクセスする可能性が高まる。
【００３１】
以上、本発明の実施形態について説明したが、上述の処理によれば、ユーザが動画像上に表示されている広告用エフェクトデータの画像をクリックすると、その広告用エフェクトデータ、例えば、飲料物の缶をイメージした画像をクリックすることで、その飲料物を広告するウェブページをユーザ端末５に表示させることができる。このように、ユーザは、予めサーバに登録されている動画像データと広告用エフェクトデータを選択すれば、その動画像データによる動画像上に広告用エフェクトデータの画像を合成させるための編集情報を作成し、他のユーザが利用するユーザ端末５に対してその編集情報に基づく動画像の再生を行わせることができるため、容易にコマーシャルの動画像を作成することができる。また、多くの広告対象の広告用エフェクトデータをサーバに登録しておくことで、その広告用エフェクトデータを自由に利用して編集情報が作成されるため、ユーザによって自由に広告を行う動画像が作成されるため、広告対象の広告の頻度を上げることができ、広告対象の広告用エフェクトデータが動画像上での頻繁に表示されることによる広告効果を期待することができる。また、本発明によれば、広告用エフェクトデータの画像に対して視覚効果を与えることで、広告効果を高めることができる。
【００３２】
なお、上述の各サーバや端末は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３３】
また、「コンピュータシステム」は、ホームページ提供環境（あるいは表示環境）を備えたＷＷＷシステムも含むものとする。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３４】
【図１】動画像配信システムの構成を示すブロック図である。
【図２】アプリケーションサーバの機能ブロック図である。
【図３】動画像編集用画面の第１の例を示す図である。
【図４】動画像編集用画面の第２の例を示す図である。
【図５】動画像編集処理の処理フローを示す図である。
【図６】動画像再生処理の処理フローを示す図である。
【符号の説明】
【００３５】
１・・・ストレージサーバ、２・・・キャッシュサーバ、３・・・アプリケーションサーバ、４・・・データベースサーバ、５・・・ユーザ端末
【図１】
2010050711.tif 000003
【図２】
2010050711.tif 000004
【図３】
2010050711.tif 000005
【図４】
2010050711.tif 000006
【図５】
2010050711.tif 000007
【図６】
2010050711.tif 000008